(57)【特許請求の範囲】
【請求項１】
水中を立体的に区分する水中立体フェンス装置において、相互に連結手段により連結された多数の袋状の柱状体を水中に立設し、それらの柱状体はそれぞれ内部が水で満たされており、上部に浮体が取り付けられ、下部に重錘および柱状体を水底に固定する帯状の突起板が設けられていることを特徴とする水中立体フェンス装置。
【請求項２】
水中を立体的に区分する水中立体フェンス装置において、相互に連結手段により連結された多数の袋状の柱状体を２列に並列に配置し、それぞれの柱状体は千鳥状になるよう配列されており、それらの柱状体はそれぞれ内部が水で満たされており、各列の上部に浮体が取り付けられ、下部に重錘および柱状体を水底に固定する帯状の突起板が設けられていることを特徴とする水中立体フェンス装置。
【請求項３】
前記２列に配列された柱状体の第１の列の水は加圧されており、第２の列の水は加圧されていない請求項２に記載の水中立体フンス装置。
【請求項４】
前記２列に配列された柱状体がリング状に配置され、第１の列が外側になるよう配置され、リング状の内側に囲まれている水の水頭が外側の水頭より大である請求項３に記載の水中立体フェンス装置。
【発明の詳細な説明】
【０００１】
【発明の属する技術分野】
本発明は、水中を立体的に区分する水中立体フェンス装置に関する。
【０００２】
【従来の技術】
水面上の浮遊物、例えば、油や化学物質等の発散を防止する装置として、所謂オイルフェンス等は知られている。それらは水面表層部の浮遊物に関するものであり、本発明の如く、水中を立体的に区分するものはその例を殆ど見ない。
【０００３】
近時、貯水ダムのダム壁の上流側、或は、湖沼、河口などの水底に堆積する土砂、汚泥、ヘドロなどを除去する作業はますます重要課題となってきている。この作業では、当該物堆積場所に浚渫船を配備し、クラブークレーン（揚重機）、或はスクリューコンベア等の機械的除去作業が行われるが、この作業のために水底より発生する汚濁、汚染のため、発電、給水などのダム操業を一時中止することを余儀なくされている。
【０００４】
また、本発明を応用しないで、上記水底工事を水を汚濁することなく施工するとすれば、鋼板矢板を水底まで打ち込み壁を作って水域を囲うか、又はその貯水を一旦排水し露天の状態で行わなければならない。
【０００５】
【発明が解決しようとする課題】
したがって、本発明は、ダム操業を中止することなく、水底における土砂などの除去作業で発生する汚濁水を発散させることを防止する水中立体フェンス装置を提供することを目的としている。
【０００６】
【課題を解決するための手段】
本発明によれば、水中を立体的に区分する水中立体フェンス装置において、相互に連結手段により連結された多数の袋状の柱状体を水中に立設し、それらの柱状体はそれぞれ内部が水で満たされており、上部に浮体が取り付けられ、下部に重錘および柱状体を水底に固定する帯状の突起板が設けられている。
【０００７】
また、本発明によれば、水中を立体的に区分する水中立体フェンス装置において、相互に連結手段により連結された多数の袋状の柱状体を２列に並列に配置し、それぞれの柱状体は千鳥状になるよう配列されており、それらの柱状体はそれぞれ内部が水で満たされており、各列の上部に浮体が取り付けられ、下部に重錘および柱状体を水底に固定する帯状の突起板が設けられている。
【０００８】
また、本発明によれば、前記２列に配列された柱状体の第１の列の水は加圧されており、第２の列の水は加圧されていない。
【０００９】
さらに、本発明によれば、前記２列に配列された柱状体がリング状に配置され、第１の列が外側になるよう配置され、リング状の内側に囲まれている水の水頭が外側の水頭より大である。
【００１０】
【発明の実施の形態】
以下、図面を参照して、本発明の実施の形態を説明する。
【００１１】
図１および図２は、本発明にかかる水中立体フェンス装置の一実施の形態を示す平面図および側面図で、第１の列（図示の例では外側）の柱状体１と第２の列の柱状体８とはそれぞれ後述する連結手段である連結金具（２、９）と連結部材（３、１０）とでフレキシブルに連結されており、第１の列の柱状体１と第２の列の柱状体８とは柱状体１同士の連結部に柱状体８がくるように千鳥状に配置され、２重のリング状に形成されている（例えば、直径５０Ｍ）。
また、第１の列の柱状体１の外側上部には浮体である相互に連結されたフロート７が取り付けられ、第２の列の柱状体８の内側上部には相互に連結されたフロート１２が取り付けられ、柱状体１、８の下端には重錘６と水底の地中に入る帯状の突起板４が取り付けられている。そして、アンカー１６と鎖１６ａとによりフェンスが水流等で移動しないよう位置決めされている。なお、柱状体８の下端には重錘６だけでもよい。ここで、符号Ｗは水面、Ｄはダムをそれぞれ示している。
【００１２】
図３は、柱状体１の詳細を示す側面図で、柱状体１はゴムライニングされたキャンバスで形成された柱状の袋で構成されており、内部には水が充満している。そして、複数カ所（図示の例では４カ所）に連結金具２が取り付けられ、連結部材である鎖３で相互に連結されている。連結部材はワイヤ、ナイロン等でもよい。
【００１３】
また、柱状体１の上部にはフロート７が取り付けられ、フロート同士はワイヤ７ａで連結されている。
【００１４】
また、柱状体１の下端には柱状体を水中において直立させるよう重錘６が取り付けられ、さらに柱状体１を水底の土中に固定するゴム板（フレキシブルな部材が好ましい）で形成された帯状の突起板４が金具５により取り付けられている。さらに、柱状体１の上端部には水を充填するバルブ１３と圧力調整弁１４とが設けられ、バルブ１３は各柱状体１の水圧を均一にすると共に水を供給するホースであるマニホールド１５に接続されている。そして、フェンスを位置決めするアンカー１６が鎖１６ａによりフロート７を連結するワイヤ７ａと帯状の突起板４とに連結されている。なお、図において括弧内の符号は第２の列の場合を示している。
【００１５】
図４は、図１のリング状のフェンスの使用の態様を示し、外側フェンスＧの柱状体１の内部の水は加圧されて硬い状体となっており、内側フェンスＮの柱状体８は通常の流水が充満された状体で柔軟性がある。そして、バージ２０上の注水装置２１によりホース２２を介してリング状のフェンス内側に注水して、内側の水位Ｈを外側の水位ｈより大としているので、図５を参照して、硬い柱状体１で構成された硬い外側フェンスＧに柔軟なフェンスＮの柱状体８が内圧に押されて硬い柱状体１と１との間に密着するようになり、柱状体１と１との間の隙間を柱状体８が塞ぐのでフェンスの水蜜性が保持される。
なお、上記の状況における連結金物２と連結部材３との円周方向の力Ｆは、
Ｆ＝ΣＦｉ＝１／４｛ρ・Ｄ・（Ｈ2−ｈ2）｝
で算出される。
【００１６】
ここで、Ｆｉは各連結部材３或は連結金物２の円周方向の力、Ｈはフェンス内側の水圧、ｈはフエンス外側の水圧、Ｄはフェンスの直径、ρは水の密度である。
【００１７】
図６は本発明の第２の実施の形態を示し、図１の第１の列である柱状体１の内部が加圧された水で充填されている外側のフェンスＧだけを平面状に張設したものであり、例えば、水中養殖場等において水が通過出来る状態で囲みを作る場合等に用いられる。
【００１８】
柱状体１の間隔を水が通過でき、大きい魚や水中浮遊物は通過できない。この場合、使用目的や設置する場所によりフェンスは曲面やリング状に張設してもよい。
【００１９】
図７および図８は、別の実施の形態を示し、連結金具２に換えてナイロンで形成された筒体２５を柱状体１に取り付け、その筒体２５をＵ字状の連結部材２６で連結したもので、軽量化が可能であり柱状体を金具で損傷しないので、耐久性が向上する。
【００２０】
以下、作用について説明する。
【００２１】
水底の、例えば土砂除去工事をする場合、工事現場を取りまくようにフェンスをおろしてゆき、重錘６と浮体７とでフェンス全体は水中で直立するように水底に到着する。要すれば、柱状体の上部から力を加えて帯状の突起板を水底につきさし、アンカー１６でフェンスが移動しないように固定する。そして、バージ２０上の注水装置２１により内側に注水し、水面を上昇させて内側フェンスＮに水圧をかけ外側フェンスＧに密着させる。
【００２２】
したがって、リング状に区分された水域から外側に汚濁が流出することがなく、周囲を汚濁することなく工事を実施できる。
【００２３】
また、１列だけのフェンスを用いれば、大きい浮遊物の通過を防止し、水は通過できるので、例えば、養魚場、海水浴場等で部分的に区分する場合には便利である。
【００２４】
図９は、ダムＤのある水底の工事現場Ｋで作業する場合の具体例を示す側面図であり、この場合はフェンスＧとフェンスＮとで構成された２列式のフェンスを用いた態様を示している。
【００２５】
図１０は、ダムＤの近くに取水弁３０を設けた具体例で、大きな異物を遮断するよう１列のフェンスＧを設置している。
【００２６】
図１１は養魚場をＡ池とＢ池とに区分する例を示しており、水が通過したほうがよい場合はフェンスＧの１列だけでよく、水を遮断したい場合には、２列のフェンスを設置し、Ａ、Ｂ何れかの水位を少し高くして２列のフェンスＧ、Ｎが密着するようにすればよい。
【００２７】
図１２はフェンスＧを海水浴場ＰにＵ字状に設置した例で、海水はフェンスを自由に出入りでき、大きな浮遊物がはいることが防止できると共に、遊泳者が危険な場所に近寄ることを防止することも可能である。
【００２８】
【発明の効果】
本発明は上記のように構成されており、以下の優れた効果を奏することができる。
（１）  鋼矢板を使用することなく容易且つ安全に水中を区分することができ、汚濁の発散が防止できる。
（２）  貯水ダム等の本来の操業を中止する事なく、水底工事が出来る。
（３）  したがって、安い費用で、環境保全が可能となる。
（４）  また、汚濁防止に限らず、水中を水の通過を許容したまま強固に区分することができ、養魚場、海水浴場等での区分用としても有効である。
【図面の簡単な説明】
【図１】本発明の一実施の形態を示すリング状フェンスの平面図。
【図２】図１の側面図。
【図３】柱状体の詳細を示す側面図。
【図４】フェンスに内外水圧差を設けた場合を示す側面図。
【図５】図１の要部の拡大平面図。
【図６】１列のフェンスを配置した例を示す斜視図。
【図７】別の実施の形態を示す図。
【図８】図７の要部を示す斜視図。
【図９】水底工事の具体例を示す側面図。
【図１０】ダムよりの取水弁の設置の具体例を示す側面図。
【図１１】養魚場の区分を例示する図。
【図１２】海水浴場に設置した例を示す図。
【符号の説明】
１・・・第１の列の柱状体
２、９・・・連結金具
３、１０、２５・・・連結部材
４・・・帯状の突起板
５・・・突起板の取付金具
６・・・重錘
７、１２・・・浮体（フロート）
８・・・第２の列の柱状体
２１・・・注水装置
２５・・・筒体
【図１】
0003736653.tif 000002
【図２】
0003736653.tif 000003
【図３】
0003736653.tif 000004
【図４】
0003736653.tif 000005
【図５】
0003736653.tif 000006
【図６】
0003736653.tif 000007
【図７】
0003736653.tif 000008
【図８】
0003736653.tif 000009
【図９】
0003736653.tif 000010
【図１０】
0003736653.tif 000011
【図１１】
0003736653.tif 000012
【図１２】
0003736653.tif 000013